(57)【要約】 【課題】サーボパターンが不要で貼り合わせ位置決め精度を必要とせず、且つ、厚み方向に対する位置決め精度をそれ程厳しくする必要がないため、比較的簡単なサーボ系を用いて多層記録することを可能にする。【解決手段】ホログラム記録媒体２４の目標の記録層にホログラム記録する際に、各記録層の位置情報に基づいて、信号光１１ｂと参照光１２ｂの干渉情報が前記目標の記録層に記録される位置に、前記ホログラム記録媒体２４を機械的な精度で位置制御部３３及び駆動機構３２により移動させることによってホログラム記録する。また、データを再生する際に、前記目標の記録層から発生される再生光１３ａのみが絞り２７を通過する位置に、３３及び駆動機構３２により移動させる。【選択図】図１
2006302328.tif 000002
【特許請求の範囲】
【請求項１】
参照光と空間変調された信号光の干渉情報を複数の記録層を有するホログラム記録媒体に記録するホログラム記録装置であって、
前記干渉情報を複数の記録層の中の目標の記録層に記録する際に、各記録層の位置情報に基づいて、前記干渉情報が前記目標の記録層に記録される位置に前記ホログラム記録媒体を機械的な精度で移動させる記録媒体位置制御手段を具備する、
ことを特徴とするホログラム記録装置。
【請求項２】
前記記録媒体位置制御手段は、予めホログラム記録媒体の各記録層の位置情報が設定される位置制御部と、この位置制御部の制御信号に従って前記ホログラム記録媒体を移動する記録媒体駆動部を有することを特徴とする請求項１記載のホログラム記録装置。
【請求項３】
参照光と空間変調された信号光の干渉情報を複数の記録層を有するホログラム記録媒体に記録するホログラム記録装置であって、
前記干渉情報を複数の記録層の中の目標の記録層に記録する際に、前記各記録層の位置情報に基づいて、前記干渉情報が目標の記録層に記録されるように前記参照光を平行移動させる参照光移動制御手段を具備する、
ことを特徴とするホログラム記録装置。
【請求項４】
前記参照光移動制御手段は、前記参照光を平行移動させる光学系と、予めホログラム記録媒体の各記録層の位置情報が設定される位置制御部と、この位置制御部の制御信号に従って前記光学系を移動する光学系駆動部を有することを特徴とする請求項３記載のホログラム記録装置。
【請求項５】
前記参照光と前記信号光の干渉縞のみに前記ホログラム記録層の各記録層が感光するように、前記参照光と前記信号光の光量調整がなされていることを特徴とする請求項１または３記載のホログラム記録装置。
【請求項６】
複数の記録層にデータをホログラム記録されたホログラム記録媒体に再生参照光を照射し、それにより前記ホログラム記録媒体から発生する再生光を撮像手段により受光して再生データを得るホログラム再生装置であって、
前記再生光の中の不要光をカットして所望の再生光のみを通過させて前記撮像手段に導く不要光除去手段と、
前記複数の記録層の中の目標の記録層に記録されているデータを再生する際に、前記各記録層の位置情報に基づいて前記目標の記録層から発生される再生光のみが前記不要光除去手段を通過する位置に前記ホログラム記録媒体を機械的な精度で移動させる記録媒体位置制御手段を、
具備することを特徴とするホログラム再生装置。
【請求項７】
前記記録媒体位置制御手段は、予めホログラム記録媒体の各記録層の位置情報が設定される位置制御部と、この位置制御部の制御信号に従って前記ホログラム記録媒体を移動する駆動部を有することを特徴とする請求項６記載のホログラム再生装置。
【請求項８】
複数の記録層にデータをホログラム記録されたホログラム記録媒体に再生参照光を照射し、それにより前記ホログラム記録媒体から発生する再生光を撮像手段により受光して再生データを得るホログラム再生装置であって、
前記再生光の中の不要光をカットして所望の再生光のみを通過させて前記撮像手段に導く不要光除去手段と、
前記複数の記録層の中の目標の記録層に記録されているデータを再生する際に、前記各記録層の位置情報に基づいて、前記所望の再生光のみが前記不要光除去手段を通過するように前記参照光を平行移動させる参照光移動制御手段を具備する、
ことを特徴とするホログラム再生装置。
【請求項９】
前記参照光移動制御手段は、前記参照光を平行移動させる光学系と、予めホログラム記録媒体の各記録層の位置情報が設定される位置制御部と、この位置制御部の制御信号に従って前記光学系を移動する光学系駆動部を有することを特徴とする請求項８記載のホログラム再生装置。
【発明の詳細な説明】
【技術分野】
【０００１】
本発明は、ホログラム記録再生装置に係り、特にホログラム記録するホログラム記録媒体が多層の場合の記録再生に関する。
【背景技術】
【０００２】
従来よりホログラムデータストレージの記録時には、信号光と参照光の２光束が干渉する領域にホログラム記録媒体を配置して、前記２光束の干渉縞をホログラム記録媒体に記録するものである（例えば非特許文献１参照）。その際に、ホログラム記録媒体への記録密度を向上させるため、角度多重方式をはじめ、シフト多重方式、スペックル多重方式及び位相コード多重方式などの各種多重方式によるホログラムの多重記録が行われている。
【０００３】
角度多重方式によるホログラム記録装置では、信号光と参照光の２光束をホログラム記録媒体に照射するが、信号光を空間変調器（ＳＬＭ）に表示されるデータページで空間変調（強度変調）する毎に、参照光のホログラム記録媒体への入射角（記録角度）を変化させて同一記録領域に異なる記録情報を多重記録するものである。
【０００４】
この角度多重方式のホログラム記録装置では、参照光の記録角度の変化ピッチを例えば０．０１度刻みで最大数度の範囲で変更して（例えば８８度〜９２度の間で僅かずつ変更して）、同一記録エリアの異なる記録情報（データページ）を順次多重記録すると、同一の記録エリアに例えば５０多重といった複数の異なる記録情報を記録することができる。
【０００５】
他方、このようなホログラム記録装置と対をなすホログラム再生装置は、再生参照光に対するホログラム記録媒体の表面の角度を僅かずつ変更することによって、同一記録エリアに多重記録された記録情報を再生するように構成されている。ここでは、このような角度多重方式で記録されたホログラム記録媒体の再生における、ホログラム記録媒体の表面に対する再生参照光の角度を適宜“再生角度”と呼ぶ。更に、例えばホログラム記録媒体の表面の法線に一致する際の再生角度など、再生角度の基準となる角度を適宜“基準再生角度”と呼ぶ。この角度多重方式のホログラム再生装置によれば、再生角度を基準再生角度から、記録角度の場合に対応して僅かに変更することによって、同一エリアに多重記録された記録情報を、再生角度別に再生することができる。
【０００６】
このように角度多重型のホログラム記録装置及びホログラム再生装置によれば、同一記録エリアに参照光の記録角度別に多数の記録情報を夫々記録でき、且つこれら多重記録された記録情報を夫々分離して再生できるので、記録密度及び記録容量を飛躍的に増大させることができる。また、記録媒体の厚み方向に干渉縞が記録されるために、光学的な問題を無視すれば厚みが厚いほど記録密度が増大するとされている。
【０００７】
しかしながら、たとえば角度多重で、０．０１度刻みで４５度の角度を振ることにしても４５０多重が限界で、それ以上はいくら厚みを増やしても光学的に記録再生は難しくなってしまう。また、記録媒体の厚みを増すと選択性は増す方向にいくので、０．０１度刻みがより細かく刻めることも可能となるが、記録、再生装置の機械要素技術的に正確に所望の角度を得るような機構を作ることが困難になってくる。また、この角度選択性がよくなればなるほど、参照光の光の平面波の平面性が必要となる。
【０００８】
同様に、スペックル多重記録方式も機構的、光学的の制約を無視することができれば、記録媒体を厚くすれば、選択性も高まり、記録密度は向上できるが、記録面を小さくしつつかつ厚み方向に均一な光を必要とする光学系や、高まる選択性のため、正確かつ微小な記録媒体の位置決め機構が必要であったり、記録媒体の取り付け取り外しの再現性の難易度がまし、たとえ理論的に可能であったとしても、実用性は厳しくなる。上記の理由から、理論的には記録密度は現在の光記録、再生装置よりも高く、１テラバイト以上といわれているが、実用化されていない。
【０００９】
このため、別の容量向上手段として、多層化といった手法がある（例えば特許文献１参照）。
【非特許文献１】IBM J.RES DEVELOP VOL.44 NO.3 MAY 2000  「Holographic data stragｅ」
【特許文献１】特開１１−１２６３３５号公報  （第５−８頁、第１図）
【発明の開示】
【発明が解決しようとする課題】
【００１０】
この多層化手法は、記録層を厚み方向に複数枚使用することで記憶容量を増すことを狙った技術であるが、この場合には、厚み方向に対しても厳しい位置決め精度が要求され、記録時と再生時に位置修正手段（サーボ）が必要とされるため、メディアのそれぞれの層にサーボパターンを必要とされると共に、その貼り合わせ位置決めの精度が要求されるので、現実問題実用化は難しい。
【００１１】
本発明は前記事情に鑑み案出されたものであって、本発明の目的は、サーボパターンが不要で貼り合わせ位置決め精度を必要とせず、且つ、厚み方向に対する位置決め精度をそれ程厳しくすることなく、比較的簡単なサーボ系を用いて多層記録再生することができるホログラム記録再生装置を提供することにある。
【課題を解決するための手段】
【００１２】
本発明は上記目的を達成するため、参照光と空間変調された信号光の干渉情報を複数の記録層を有するホログラム記録媒体に記録するホログラム記録装置であって、前記干渉情報を複数の記録層の中の目標の記録層に記録する際に、各記録層の位置情報に基づいて、前記干渉情報が前記目標の記録層に記録される位置に前記ホログラム記録媒体を機械的な精度で移動させる記録媒体位置制御手段を具備することを特徴とする。
【００１３】
また、本発明は、参照光と空間変調された信号光の干渉情報を複数の記録層を有するホログラム記録媒体に記録するホログラム記録装置であって、前記干渉情報を複数の記録層の中の目標の記録層に記録する際に、前記各記録層の位置情報に基づいて、前記干渉情報が目標の記録層に記録されるように前記参照光を平行移動させる参照光移動制御手段を具備することを特徴とする。
【００１４】
また、本発明は、複数の記録層にデータをホログラム記録されたホログラム記録媒体に再生参照光を照射し、それにより前記ホログラム記録媒体から発生する再生光を撮像手段により受光して再生データを得るホログラム再生装置であって、前記再生光の中の不要光をカットして所望の再生光のみを通過させて前記撮像手段に導く不要光除去手段と、前記複数の記録層の中の目標の記録層に記録されているデータを再生する際に、前記各記録層の位置情報に基づいて前記目標の記録層から発生される再生光のみが前記不要光除去手段を通過する位置に前記ホログラム記録媒体を機械的な精度で移動させる記録媒体位置制御手段を具備することを特徴とする。
【００１５】
また、本発明は、複数の記録層にデータをホログラム記録されたホログラム記録媒体に再生参照光を照射し、それにより前記ホログラム記録媒体から発生する再生光を撮像手段により受光して再生データを得るホログラム再生装置であって、前記再生光の中の不要光をカットして所望の再生光のみを通過させて前記撮像手段に導く不要光除去手段と、前記複数の記録層の中の目標の記録層に記録されているデータを再生する際に、前記各記録層の位置情報に基づいて、前記所望の再生光のみが前記不要光除去手段を通過するように前記参照光を平行移動させる参照光移動制御手段を具備することを特徴とする。
【００１６】
このように本発明では、複数の記録層を有するホログラム記録媒体の目標の記録層にホログラム記録する際に、信号光と参照光の干渉情報が前記目標の記録層に記録される位置に、各記録層の位置情報に基づいて、前記ホログラム記録媒体を機械的な精度で移動させることにより、或いは、前記干渉情報が目標の記録層に記録されるように前記参照光を前記各記録層の位置情報に基づいて、平行移動させることにより、サーボパターンが不要で記録媒体の貼り合わせ位置決め精度を必要とせず、且つ、厚み方向に対する位置決め精度をそれ程厳しくする必要がないため、比較的簡単なサーボ系を用いて多層記録することができる。
【００１７】
また、複数の記録層を有するホログラム記録媒体の目標の記録層からデータを再生する際に、前記目標の記録層から発生される再生光のみが不要光除去手段を通過する位置に、各記録層の位置情報に基づいて前記ホログラム記録媒体を機械的な精度で移動させることにより、或いは、前記各記録層の位置情報に基づいて、前記所望の再生光のみが前記不要光除去手段を通過するように前記参照光を平行移動させることにより、サーボパターンが不要で、記録媒体の貼り合わせ位置決め精度を必要とせず、且つ、厚み方向に対する位置決め精度をそれ程厳しくする必要がないため、比較的簡単なサーボ系を用いて多層再生することができる。
【発明の効果】
【００１８】
本発明によれば、複数の記録層を有するホログラム記録媒体の目標の記録層にホログラム記録する際に、信号光と参照光の干渉情報が前記目標の記録層に記録される位置に、各記録層の位置情報に基づいて、前記ホログラム記録媒体を機械的な精度で移動させることにより、或いは、前記干渉情報が目標の記録層に記録されるように、前記各記録層の位置情報に基づいて、前記参照光を平行移動させることにより、サーボパターンが不要で貼り合わせ位置決め精度を必要とせず、且つ、厚み方向に対する位置決め精度をそれ程厳しくすることがないため、比較的簡単なサーボ系を用いて多層記録することができ、また、複数の記録層を有するホログラム記録媒体の目標の記録層からデータを再生する際に、前記目標の記録層から発生される再生光のみが不要光除去手段を通過する位置に、各記録層の位置情報に基づいて前記ホログラム記録媒体を機械的な精度で移動させることにより、或いは、前記目的の再生光のみが前記不要光除去手段を通過するように、前記各記録層の位置情報に基づいて、前記参照光を平行移動させることにより、サーボパターンが不要で貼り合わせ位置決め精度を必要とせず、且つ、厚み方向に対する位置決め精度をそれ程厳しくすることがないため、比較的簡単なサーボ系を用いて多層再生することができ、ホログラム記録においても多層記録を可能とし、ホログラム記録の更なる高密度化を容易に可能にすることができる。
【発明を実施するための最良の形態】
【００１９】
複数の記録層を有するホログラム記録媒体の目標の記録層にホログラム記録する際に、信号光と参照光の干渉情報が前記目標の記録層に記録される位置に、各記録層の位置情報に基づいて、前記ホログラム記録媒体を機械的な精度で移動させることにより、或いは、前記干渉情報が目標の記録層に記録されるように、前記各記録層の位置情報に基づいて、前記参照光を平行移動させることにより、また、複数の記録層を有するホログラム記録媒体の目標の記録層からデータを再生する際に、前記目標の記録層から発生される再生光のみが不要光除去手段を通過する位置に、各記録層の位置情報に基づいて前記ホログラム記録媒体を機械的な精度で移動させることにより、或いは、前記目的の再生光のみが前記不要光除去手段を通過するように、前記各記録層の位置情報に基づいて、前記参照光を平行移動させることによって実現した。
【実施例１】
【００２０】
図１は、本発明の第１の実施形態に係るホログラム記録再生装置の構成を示したブロック図である。ホログラム記録再生装置は、レーザ光源２０、偏光ビームスプリッター（ＰＢＳ）２１、空間変調器２２、信号光用レンズ２３、ホログラム記録媒体２４、再生光用レンズ２５、２６、不要光をカットする絞り２７、絞り２７を通過した光を撮像装置２９に結像させるレンズ２８、ＣＣＤまたはＣＭＯＳイメージセンサなどの撮像装置２９、進路変更用ミラー３０、３１、ホログラム記録媒体２４を移動させる駆動機構３２、絞り２７からの反射光を検出する光検出器３４、ホログラム記録媒体２４の位置を制御する位置制御部３３、ミラー３１の角度を変更する参照光角度補正部３５を有して構成されている。
【００２１】
次に本実施形態の概略動作について説明する。レーザ光源２０から出射されたレーザ光１０はＰＢＳ２１によってＰ波１１ａとＳ波１２ａに分けられる。レーザ光源２０は一般的に可視光近辺の波長を発生させるものが用いられる。Ｐ波１１ａは空間変調器２２を通過し、空間変調器２２に表示されているデータページに応じて空間変調されて信号光１１ｂとなる。空間変調器２２は一般的には透過型のＬＣＤパネルや反射型のＬＣＤパネル、或いはＤＭＤ、ＧＬＶなどの画像表示装置に用いられるデバイスを用いる場合が多い。信号光１１ｂはレンズ２３によりホログラム記録媒体２４の記録エリアに集光される。ここで、ホログラム記録媒体２４は必ずしも信号光１１ｂの光軸と垂直に交わる必要はない。
【００２２】
一方、Ｓ波１２ａはミラー３０、３１にて、その進路が変更され、参照光１２ｂとなってホログラム記録媒体２４の信号光１１ａの照射範囲をカバーするよう照射される。信号光１１ｂと参照光１２ｂはホログラム記録媒体２４の記録エリアで干渉を起こし、その干渉情報が同記録エリアに記録される。ホログラム記録方式では、参照光角度補正部３５によりミラー３１の角度を変えることで、参照光１２ｂのホログラム記録媒体２４への入射角が変わり、波面の情報がまったく変わるため、同じ記録領域にデータの多重記録を可能とする。
【００２３】
次に記録時と同一の参照光１２ｂのみを再生参照光１２ｂとしてホログラム記録媒体２４の記録エリアに照射すると、ホログラム記録媒体２４に記録された干渉情報を反映した回折光が発生し、４ｆ系を形成するレンズ２５、２６を通って再生光１３ａとなり、絞り２７に集光される。回折光が発生する部分と絞り２７の集光部分は鏡像関係になっており、この絞り２７により０次光以外の光や隣接記録エリアからのクロストークによる光が除去され、再生情報を持っている光のみが通過し、これが更にレンズ２８により撮像装置２９に集光され、この撮像装置２９により光電変換されて再生データとなる。その際、光検出器３４は絞り２７の穴を通過できない反射光を検出し、この反射光に基づいて、位置制御部３３が駆動機構３２を制御してホログラム記録媒体２４の位置を移動させ、所望の再生光のみが絞り２７を通過するような制御が行われる。これにより、絞り２７は、ホログラム記録媒体２４より発生する、隣の記録場所の情報や別の記録層から発生する再生光を取り除き、所望層の所望部分の光のみをレンズ２８へ送り込むため、再生したい層の情報のみが撮像装置２９に結像する。
【００２４】
図２はホログラム記録媒体２４の構成例を示した断面図である。記録媒体の層構成は実際に記録される記録層２４ｂと２４ｄを挟むように中間層２４ｃがあり、２４ｂと２４ｄの物理的接触をなくしている。また、２４ｂと２４ｄのカバーの為の層２４ａおよび２４ｅがある。２４ａ、２４ｃ、２４ｅはたとえばポリーカーボネイトやガラスなど、透明性の高い材料を用いるが、それぞれは同じ材料や同じ厚さである必要はない。
【００２５】
図３はホログラム記録媒体２４にデータを記録する場合の信号光１１ｂと参照光１２ｂとホログラム記録媒体２４の各層との関係を示した図である。２４ａと２４ｅは保護層で、ここは特に参照光１２ｂ、もしくは再生光が当たってもなんら物理的、化学的変化を生じることはない。２４ｂおよび２４ｄはホログラム記録層で、参照光１２ｂ、もしくは信号光１１ｂなどに反応する。しかし、記録光１１ｂと参照光１２ｂが干渉するところでは反応し、干渉縞が記録される。それ故、信号光１１ｂ、参照光１２ｂのみではホログラム記録層２４ｂ、２４ｄが反応しない程度の光量になるように、レーザ光源２０、ＰＢＳ２１、もしくはその間にＮＤフィルタを入れることで最適化している。これにより信号光１１ｂと参照光１２ｂの重なる部分２５において記録層は反応し、干渉縞を記録するが、２６のように信号光１１ｂのみ当たっている部分は反応しない。また、この層構成は２層の場合であるが同様に重ねることでさらに多層にすることが可能である。
【００２６】
記録時、位置制御部３３は、ホログラム記録媒体２４の方向として信号光１１ｂの光軸と垂直方向の２軸、およびフォーカス方向の１軸を制御するが、２光束角度多重の場合、媒体のフォーカス方向の位置精度は機構的精度によって保証できるため、サーボパターンなどを用いたフィードバック制御等を行う必要はなく、記録したい層に信号光のフォーカスがあうような位置にあらかじめホログラム記録媒体２４を位置させる制御でよく、その際に他の２軸が動いた場合にフォーカス方向がずれても、スポット径は大きく、書き込みに影響が出るほどの偏差は発生しない。したがって、図３の例では、位置制御部３３は駆動機構３２を制御して、ホログラム記録層２４ｄの位置で信号光１１ｂと参照光１２ｂが重なるようにホログラム記録媒体２４のフォーカス方向の位置を決めておけば、ホログラム記録層２４ｄのところで信号光１１ｂと参照光１２ｂの干渉縞が発生する。この干渉縞の光量は部分的に１１ｂと１２ｂの和となる部分と差となる部位で縞になる。和となるときに反応するよう、あらかじめ光量設定とホログラム記録媒体２４を調整しておくことで、記録層２４ｄにのみ記録されることになる。しかし、記録したくない層であるホログラム記録層２４ｂでは信号光１１ｂと参照光１２ｂは重なり合うことはない。光量が信号光１１ｂおよび参照光１２ｂのみでは反応しないように光量調整されているので、ホログラム記録層２４ｂには何も記録されない。
【００２７】
図４は再生時のホログラム記録媒体２４に対する光路を示した図である。ホログラム記録媒体２４に参照光１２ｂが照射されると、記録層２４ｄ、２４ｂでの記録された部分４１および４２より回折光（再生光）４３、４４が発生する。本図では例えば再生光４４の情報のみほしい場合、位置制御部３３は駆動機構３２を制御してホログラム記録媒体２４と光学系２５〜２９の相対的な位置関係を調整して、絞り２７を再生光４３のみが通過するようにホログラム記録媒体２４を移動しておく。その場合、再生光４３は絞り２７によって図示のごとく遮蔽されるので、所望する再生光４４のみを後方の撮像装置２９へ導くことになる。すなわち、ホログラム記録媒体２４を絞り２７に対して所望する光が入るように移動させることで、所望しない記録層の光を除去することが可能になる。
【００２８】
本実施形態によれば、ホログラム記録は体積記録のため、ホログラム記録媒体２４の記録層を２層にした場合に、記録層２４ｂ、２４ｄの間隔はｍｍ単位となるため、いずれの記録層２４ｂ、２４ｄに記録するかの選択サーボは機械的な精度でよく、サーボパターンを必要としない簡単な制御系によって、記録時のホログラム記録媒体２４のフォーカス方向の位置合わせを機械的に行うだけで、記録層２４ｂ、２４ｄの選択制御を行うことができる。また、再生時も、ホログラム記録媒体２４のフォーカス方向の位置を機械的な精度で移動させるだけで、再生記録層を選択することができ、この場合も簡単な制御系で済ますことができる。
【００２９】
したがって、従来の方法では、サーボパターンなどを用いた精度の高い厚み方向の制御が必要であり、参照光と記録光が同じ光軸から入るため、記録時に他の記録層に対しての影響は避けられないが、２光束角度多重における本実施形態の記録再生方法では、サーボパターンを不要とし、且つ、参照光と記録光の単体では記録媒体に反応しない程度の光量にしてあるため、目標としない記録層の感光を避けることができる。
【実施例２】
【００３０】
図５は、本発明の第２の実施形態に係るホログラム記録再生装置の構成を示したブロック図である。但し、第１の実施形態と同様の部分には同一符号を付して説明する。ホログラム記録再生装置は、ホログラム記録媒体２４のフォーカス方向への位置制御を不要とするもので、そのために、ミラー３０を光軸に対して平行移動させる機能を有し、位置制御部３３の制御下にある参照光平行移動機構３６が設けられると共に、レンズ２８または撮像装置２９を光軸方向に移動させるフォーカス調整部３７を備えている。
【００３１】
次に本実施形態の動作について説明する。光学的に厚みが十分に小さく、ホログラム記録媒体２４の記録層が２層以上あっても十分に集光できる場合は、記録媒体移動手段（フォーカス方向に移動する手段）を省略し、代わりに、参照光平行移動機構３６により、光軸に対して平行移動可能なミラー３０を設ける。このミラー３０が移動すると、参照光１２ｂも平行移動する。例えば、図６に示すように当初、参照光１２ｂが記録層２４ｄの２５０の部分で信号光と交差して、記録層２４ｄにデータが記録されている状態で、ミラー３０が左に平行移動すると、参照光１２ｂが図６の矢印の方向に平行移動し、参照光１２ｂが記録層２４ｂの２５１の部分で信号光（図示せず）と交差して、記録層２４ｂにデータが記録する。
【００３２】
また、再生時は、参照光１２ｂをホログラム記録媒体２４の記録層２４ｂ、２４ｄに図６の８０の状態で照射するか、８１の状態で照射するかをミラー３０を移動させることで選択することにより、絞り２７を通過する再生光を選択することができ、目標の記録層からの再生光を撮像装置２９に導いて、所望のデータを再生することができる。その場合、フォーカス方向に位置ずれが生じ、撮像装置２９への結像関係がずれる可能性がある。その為、フォーカス調整部３７よりレンズ２８または撮像装置２９のいずれかまたは両方を移動させて位置調整を行う。この方法を用いた場合は駆動機構３２によるフォーカス調整手段が不要になる。
【００３３】
本実施形態によれば、いずれの記録層２４ｂ、２４ｄに記録するかの選択サーボおよびいずれの記録層からのデータの再生を行うかは、ミラー３０を機械的な精度で動かすだけで選択できるため、第１の実施形態と同様の効果がある。
【００３４】
尚、本発明は上記実施形態に限定されることなく、その要旨を逸脱しない範囲において、具体的な構成、機能、作用、効果において、他の種々の形態によっても実施することができる。例えば上記実施形態では、角度多重型ホログラム記録装置について本発明を適用した例について説明したが、本発明をシフト多重や位相コード多重など全ての多重方式に適応して、同様の効果を得ることができる。また、参照光と信号光の２つの光束を１つのレンズで照射するインライン型でも、別々に照射する２光束型であっても、同様に本発明を適用することができる。
【図面の簡単な説明】
【００３５】
【図１】本発明の第１の実施形態に係るホログラム記録再生装置の構成を示したブロック図である。
【図２】図１に示したホログラム記録媒体の構成例を示した断面図である。
【図３】ホログラム記録媒体にデータを記録する場合の信号光と参照光とホログラム記録媒体の各層との関係を示した図である。
【図４】再生時のホログラム記録媒体に対する光路を示した図である。
【図５】本発明の第２の実施形態に係るホログラム記録再生装置の構成を示したブロック図である。
【図６】参照光の平行移動による再生対象記録層を選択する動作を示した図である。
【符号の説明】
【００３６】
２０……レーザ光源、２１……偏光ビームスプリッター（ＰＢＳ）、２２……空間変調器、２３……信号光用レンズ、２４……ホログラム記録媒体、２４ａ、２４ｅ……保護層、２４ｂ、２４ｄ……記録層、２４ｃ……中間層、２５、２６……再生光用レンズ、２７……絞り、２８……レンズ、２９……撮像装置、３０、３１……進路変更用ミラー、３２……駆動機構、３３……位置制御部、３４……光検出器、３５……参照光角度補正部、３６……参照光平行移動機構、３７……フォーカス調整部。
【図１】
2006302328.tif 000003
【図２】
2006302328.tif 000004
【図３】
2006302328.tif 000005
【図４】
2006302328.tif 000006
【図５】
2006302328.tif 000007
【図６】
2006302328.tif 000008